(57)【要約】【課題】幅狭の外装ケースにおいて排水配管の接続作業を容易に行える接続構成を提供することを目的とする。【解決手段】各貯湯タンク３、４の底部を三方弁２４を介して連通し共通の排水経路を形成するとともに、前記三方弁２４の開閉操作は該三方弁２４の開閉軸に連結して延設した操作ハンドル２５により手動で行う構成とし、前記操作ハンドル２５を筐体前面の配管接続スペースに所定の間隙を有して配設したものである。【選択図】図１
2007064493.tif 000002
【特許請求の範囲】
【請求項１】
湯水を貯湯する貯湯タンクを前後方向に２個配置し幅狭の筐体構成とした貯湯タンクユニットにおいて、前記各貯湯タンクの底部を三方弁を介して連通し共通の排水経路を形成するとともに、前記三方弁の開閉操作は該三方弁の開閉軸に連結して延設した操作ハンドルにより手動で行う構成とし、前記操作ハンドルを筐体前面の配管接続スペースに所定の間隙を有して配設した貯湯タンクユニット。
【請求項２】
貯湯タンクに接続した圧力逃がし弁と縁切り装置を備え、前記圧力逃がし弁と縁切り装置に接続された排水パイプを操作ハンドルと筐体前面で形成した間隙に配設し排水経路に導く構成とした請求項１記載の貯湯タンクユニット。
【請求項３】
２個の貯湯タンクの排水パイプを三方弁の開閉軸に対しておのおの水平に接続し、共通の排水経路を前記三方弁の開閉軸に対して垂直下に設けた請求項１記載の貯湯タンクユニット。
【発明の詳細な説明】
【技術分野】
【０００１】
本発明は、貯湯タンクユニットに関し、特に、２タンクの排水構成に関するものである。
【背景技術】
【０００２】
従来この種の貯湯タンクユニットは、特許文献１に示すように、大容量の貯湯タンクを外装ケースで覆い、その前面部下方に外部配管との接続部を設ける構成となっており、大容量の貯湯タンクであるためタンク外径も大きく該タンクを収納する外装ケースの幅寸法も広いものであった。このため、本体内配管も前面部に横一列に配置することが可能であり、外部配管との接続も容易に行えるものであった（例えば、特許文献１参照）。
【０００３】
しかしながら、近年、集合住宅への設置等、狭地への設置要望が強まり、外装ケースの幅寸法の小さい貯湯タンクユニットが必要となってきた。また、機能面でも従来の給湯のみではなく、風呂追い焚き回路や暖房回路を内蔵したものが要求されている。この機能追加に伴い、本体内配管の数も増加し、従来の給水管と給湯管に加え、追い焚き往き管、戻り管、暖房往き管、戻り管というように３倍に増加している。さらに、外装ケースの幅寸法の小さい貯湯タンクユニットを実現するために複数のタンクを用いると、その排水用に配管が増加するものでもあった。
【特許文献１】特開２００４−１４４４３７号公報
【発明の開示】
【発明が解決しようとする課題】
【０００４】
しかしながら上記従来の構成では、幅広の外装ケース前面部に横一列に本体内配管を配置しているため、本体内配管の数量が増加すると間隔を狭めて配置する必要があり、外部配管との接続作業において困難を強いられるものであった。
【０００５】
本発明は上記従来の課題を解決するもので、幅狭の外装ケースにおいて本体配管の数量を極力減らして外部配管との接続作業を容易に行える接続構成を提供することを目的としたものである。
【課題を解決するための手段】
【０００６】
上記目的を達成するため本発明の貯湯タンクユニットは、湯水を貯湯する貯湯タンクを前後方向に２個配置し幅狭の筐体構成とした貯湯タンクユニットにおいて、前記各貯湯タンクの底部を三方弁を介して連通し共通の排水経路を形成するとともに、前記三方弁の開閉操作は該三方弁の開閉軸に連結して延設した操作ハンドルにより手動で行う構成とし、前記操作ハンドルを筐体前面の配管接続スペースに所定の間隙を有して配設したものである。
【０００７】
上記発明によれば、集合住宅等の狭地への設置に対応するため、タンク外径を小さくした貯湯タンクを２個直列に接続して必要容量を確保した幅狭の筐体構成とし、この幅狭の筐体構成において、２個の貯湯タンクからの排水を１個に集約し、かつ操作ハンドルのみを筐体前面に望ませることにより、増加した本体配管の隙間を有効に活用することができ排水配管工事が容易に行えるようにしたものである。
【発明の効果】
【０００８】
本発明の貯湯タンクユニットは、タンク外径を小さくした貯湯タンクを２個直列に接続して必要容量を確保した幅狭の筐体構成とすることで、集合住宅等の狭地への設置に対応
することができ、この幅狭の筐体構成において、２個の貯湯タンクからの排水を１個に集約し、かつ操作ハンドルのみを筐体前面に望ませることにより、増加した本体配管の隙間を有効に活用することができ排水配管工事が容易に行えるようにしたものである。
【発明を実施するための最良の形態】
【０００９】
第１の発明は、湯水を貯湯する貯湯タンクを前後方向に２個配置し幅狭の筐体構成とした貯湯タンクユニットにおいて、前記各貯湯タンクの底部を三方弁を介して連通し共通の排水経路を形成するとともに、前記三方弁の開閉操作は該三方弁の開閉軸に連結して延設した操作ハンドルにより手動で行う構成とし、前記操作ハンドルを筐体前面の配管接続スペースに所定の間隙を有して配設したことを特徴とするものである。
【００１０】
そして、タンク外径を小さくした貯湯タンクを２個直列に接続して必要容量を確保した幅狭の筐体構成とし、この幅狭の筐体構成において、２個の貯湯タンクからの排水を１個に集約し、かつ操作ハンドルのみを筐体前面に望ませることにより、増加した本体配管の隙間を有効に活用することができ排水配管工事が容易に行えるものである。
【００１１】
第２の発明は、貯湯タンクに接続した圧力逃がし弁と縁切り装置を備え、前記圧力逃がし弁と縁切り装置に接続された排水パイプを操作ハンドルと筐体前面で形成した間隙に配設し排水経路に導く構成としたことを特徴とするものであり、圧力逃がし弁と縁切り装置に接続された排水パイプを操作ハンドルと筐体前面で形成した間隙に排設させることにより、デッドスペースを有効に活用でき手狭な配管スペースを有効に活用することができる。また、貯湯タンクの排水経路と圧力逃がし弁と縁切り装置に接続された排水パイプを近傍に位置することができ、外部工事による排水配管工事が容易に行えるものである。
【００１２】
第３の発明は、２個の貯湯タンクの排水パイプを三方弁の開閉軸に対しておのおの水平に接続し、共通の排水経路を前記三方弁の開閉軸に対して垂直下に設けたことを特徴とするものである。
【００１３】
そうすることにより、貯湯タンクの排水経路と圧力逃がし弁と縁切り装置に接続された排水パイプを近傍に位置することができ、外部工事による排水配管工事が容易に行えるものである。
【００１４】
以下、本発明の実施の形態について、図面を参照しながら説明する。なお、この実施の形態によって本発明が限定されるものではない。
【００１５】
（実施の形態１）
図１は本発明の実施の形態１における貯湯タンクユニットの全体構成図、図２は同貯湯タンクユニットの横断面図、図３（ａ）は同貯湯タンクユニットの前面図、（ｂ）は同貯湯タンクユニットの配管接続部の詳細図、図４は本同貯湯タンクユニットの前断面図、図５は同貯湯タンクユニットの排水バルブ近傍の詳細図で、（ａ）は上面図、（ｂ）は正面図、（ｃ）は側面図、図６は排水バルブの断面詳細図で、（ａ）は上面図、（ｂ）は正面図、（ｃ）は側面図ある。
【００１６】
図において、１はヒートポンプ給湯機の貯湯タンクユニットで、２は熱源機であるヒートポンプユニットである。３は円筒状の第一貯湯タンク、４は第二貯湯タンクである。５は水道管、６は給水圧を減圧する減圧弁、７は給水管、８は貯湯タンク３、４内の水をヒートポンプユニット２に供給する沸き上げポンプ、９はヒートポンプユニット２への沸き上げ往き配管接続口、１０はヒートポンプユニット２からの沸き上げ戻り配管接続口である。１１は電動式の混合弁で第二貯湯タンク４と配管接続された給湯パイプ１２と給水管７に配管接続されていて、設定温度に応じて内蔵されている弁体（図示せず）の開度比率
を制御することで所望の温度の混合水を得る構成としてある。１３は出湯管で、給湯口であるカラン１４に接続されている。１５は、貯湯タンク４と配管接続された風呂パイプ１６に接続された縁切り装置機能付風呂注湯開閉弁である。１７は浴槽で、貯湯ユニット１と接続して、浴槽１７への湯張りと追い焚きを行うための浴槽循環口Ｗを備えている。１８は風呂往き配管接続口、１９は風呂戻り配管接続口である。
【００１７】
貯湯タンクユニット１の前面側に外部配管２０と本体内部配管２１とを接続する配管接続部を設けてあり、その下方に配管接続スペースを設けている。
【００１８】
２４は、三方弁式の排水バルブであり、２５は、操作ハンドルである。操作ハンドル２５は、排水バルブ２４の回転軸２６と筐体を介して接続されており、配管接続スペース下方に配置されている。排水バルブ２４の水平方向に、第一貯湯タンク３からの排水パイプ２７と第二貯湯タンク４からの排水パイプ２８が接続されている。又,垂直下方には、共通の排水経路である排水口２９を備えている。
【００１９】
３０は、沸き上げ時の膨張水を排出する逃がし弁であり、３１は、膨張水を筐体外に排出する逃がし弁パイプである。３２は、縁切り装置機能付風呂注湯開閉弁１５により浴槽１７からの逆流水を筐体外に排水する縁切り弁パイプである。
【００２０】
逃がし弁パイプ３１と縁切り弁パイプ３２の先端部分は、操作ハンドル２５と筐体外郭との間隙に配置されている。
【００２１】
次に図面を用いて、簡単に動作を説明する。
【００２２】
水道管５より導かれた水は, 減圧弁６により所定の圧力に減圧され、貯湯タンク３、４内に貯められる。貯められた水は, 沸き上げポンプ８により、沸き上げ往き配管接続口９を経て、ヒートポンプユニット２に導かれる。導かれた水は, ヒートポンプユニット２内で,外気から集めた熱と熱交換され湯となって、沸き上げ戻り配管接続口１０を経て、貯湯タンク３、４内に貯められる。その際、沸き上げによって、膨張した膨張水は、逃がし弁３０より、逃がし弁パイプを経て外部に排水される。貯められたお湯は, 電動式の混合弁１１により、所定の温度に調整され、出湯管１３を経て, カラン１４より出湯される。また、縁切り機能付風呂注湯開閉弁１５を開けることにより、風呂往き配管接続口１８を経て、浴槽１７に具備された浴槽循環口Ｗより浴槽内に湯張りを行う、浴槽１７内のお湯が冷めると風呂循環ポンプ２２を動作させることにより、浴槽１７内の水を風呂戻り配管接続口１９を経て、貯湯タンクユニット１内に具備された、熱交換機２３により、貯湯タンク３、４内に貯められたお湯と熱交換され所定の湯温で、風呂往き配管接続口１８を経て、浴槽１７内に戻される。
【００２３】
又, 縁切り機能付風呂注湯開閉弁１５に内臓された逆止弁（図示しない）が故障した場合に、浴槽１７内の汚水が、貯湯タンク３、４内に逆流しない用に縁切り弁パイプ３２により、外部に排水される。
【００２４】
又,操作ハンドル２５を操作することにより、貯湯タンク３、４内に貯められた水を排水口２９より、外部に排水する構成となっている。
【産業上の利用可能性】
【００２５】
以上のように、本発明の貯湯タンクユニットは、幅狭の外装ケースにおいて２個の貯湯タンクからの排水を１個に集約し、かつ操作ハンドルのみを筐体前面に望ませることにより、増加した本体配管の隙間を有効に活用することができ排水配管工事が容易に行えるものである。
【図面の簡単な説明】
【００２６】
【図１】本発明の第１の実施の形態における貯湯タンクユニットの全体構成図
【図２】同貯湯タンクユニットの横断面図
【図３】（ａ）（ｂ）同貯湯タンクユニットの配管接続詳細図
【図４】同貯湯タンクユニットの前断面図
【図５】（ａ）（ｂ）（ｃ）同貯湯タンクユニットの排水バルブ近傍の詳細図
【図６】（ａ）（ｂ）（ｃ）同貯湯タンクユニットの排水バルブの断面詳細図
【符号の説明】
【００２７】
１  貯湯タンクユニット
２  ヒートポンプユニット
３  貯湯タンク
４  貯湯タンク
２４  排水バルブ（三方弁）
２５  操作ハンドル
２９  排水口
３１  逃がし弁パイプ
３２  縁切りパイプ
【図１】
2007064493.tif 000003
【図２】
2007064493.tif 000004
【図３】
2007064493.tif 000005
【図４】
2007064493.tif 000006
【図５】
2007064493.tif 000007
【図６】
2007064493.tif 000008